(57)【要約】【課題】表示手段に表示される情報の視認性を向上させることができる測定器およびこれに用いられる反射装置の提供。【解決手段】測定器１は、情報を表示する表示手段２と、情報を表示手段に表示させる表示制御手段と、を備える測定器１であって、表示手段２に表示される情報を鏡面反射により反転させる反射装置３を備える。測定器１は、表示手段２に表示される情報を鏡面反射により反転させる反射装置３を備えることで、表示手段２から直接的に情報を読み取れない場合であっても、反射装置３を介して情報を視認することができるため、測定器１は、表示手段２に表示される情報の視認性を向上することができる。【選択図】図１
2018119889.tif 000002
【特許請求の範囲】
【請求項１】
情報を表示する表示手段と、前記情報を前記表示手段に表示させる表示制御手段と、を備える測定器であって、
前記表示手段に表示される前記情報を鏡面反射により反転させる反射装置を備えることを特徴とする測定器。
【請求項２】
請求項１に記載された測定器において、
前記表示制御手段は、
前記情報の通常表示を反転させた反転表示を前記表示手段に表示させることを特徴とする測定器。
【請求項３】
請求項２に記載された測定器において、
前記表示制御手段は、
前記表示手段の表示面と前記反射装置の反射面との交線を対称軸として線対称に前記情報の通常表示を反転させて前記表示手段に反転表示させ、
前記対称軸は、前記情報の通常表示の上下方向または左右方向に沿って前記情報の表示領域の外側に延在するとともに、前記情報の表示領域の下方側とは異なる位置に配置されることを特徴とする測定器。
【請求項４】
請求項２に記載された測定器において、
前記表示制御手段は、
前記表示手段の表示面と前記反射装置の反射面との交線を対称軸として前記情報の通常表示を左右反転させて前記表示手段に反転表示させ、
前記対称軸は、前記情報の通常表示の左右方向に沿って前記情報の表示領域の外側に延在するとともに、前記情報の表示領域の下方側の位置に配置されることを特徴とする測定器。
【請求項５】
請求項２から請求項４のいずれかに記載された測定器において、
前記表示制御手段は、
前記反転表示と前記通常表示とを切替える切替部を備えることを特徴とする測定器。
【請求項６】
請求項２から請求項５のいずれかに記載された測定器において、
前記反射装置は、
前記表示手段の表示面と前記反射装置の反射面との角度を調節する角度調節機構を備え、
前記表示制御手段は、
前記角度調節機構により調節された角度を検出する検出部と、
前記検出部にて検出された角度に基づいて前記反転表示と前記通常表示とを切替えるか否かを判定する判定部と、を備え、
前記切替部は、
前記判定部による判定に基づき前記反転表示と前記通常表示とを切替えることを特徴とする測定器。
【請求項７】
請求項１から請求項６のいずれかに記載された測定器において、
前記反射装置を設置するための設置部を備え、
前記反射装置は、
前記設置部に対して着脱自在に取付ける取付部を備えることを特徴とする測定器。
【請求項８】
情報を表示する表示手段と、前記情報を前記表示手段に表示させる表示制御手段と、を備える測定器に用いられる反射装置であって、
前記表示手段に表示される前記情報を鏡面反射することにより前記情報を反転させることを特徴とする反射装置。
【発明の詳細な説明】
【技術分野】
【０００１】
本発明は、情報を表示する表示手段を備える測定器およびこれに用いられる反射装置に関する。
【背景技術】
【０００２】
従来、情報を表示する表示手段と、情報を表示手段に表示させる表示制御手段と、を備える測定器が知られている。
このような測定器において、例えば、特許文献１に記載のデジタル表示式測定器では、モノクロデジタル表示をする液晶部（表示手段）と、液晶部に表示される数字（情報）を１８０°回転させた表示に切替え操作する操作ボタンと、を備える。
デジタル表示式測定器は、使用者がデジタル表示式測定器を逆さまに使う等して液晶部が１８０°回転した状態で使用したとしても、操作ボタンにより液晶部に表示される数字を１８０°回転させて表示することができるため、使用者は見る角度を変えなくても液晶部に表示される数字を正しく読み取ることができる。
【先行技術文献】
【特許文献】
【０００３】
【特許文献１】特開２００８−１１１７０６号公報
【発明の概要】
【発明が解決しようとする課題】
【０００４】
しかしながら、表示手段の表示面は、使用者の見る角度によっては蛍光灯などの外部からの光が映り込み、表示面を介して表示手段に表示される情報が使用者に視認されにくくなるという問題がある。
【０００５】
本発明の目的は、表示手段に表示される情報の視認性を向上させることができる測定器およびこれに用いられる反射装置を提供することである。
【課題を解決するための手段】
【０００６】
本発明の測定器は、情報を表示する表示手段と、情報を表示手段に表示させる表示制御手段と、を備える測定器であって、表示手段に表示される情報を鏡面反射により反転させる反射装置を備えることを特徴とする。
【０００７】
このような本発明によれば、測定器は、表示手段に表示される情報を鏡面反射により反転させる反射装置を備えることで、使用者は、表示手段から直接的に情報を読み取れない場合であっても、反射装置を介して情報を視認することができる。したがって、測定器は、表示手段に表示される情報の視認性を向上させることができる。
また、測定器は、反射装置にて外部からの光を遮ることができれば、外部からの光が表示手段の表示面に映り込むことを抑制することができるため、表示面を介して表示手段に表示される情報が使用者に視認されにくくなることを防止することができる場合がある。したがって、測定器は、表示手段に表示される情報の視認性を向上させることができる。
【０００８】
この際、表示制御手段は、情報の通常表示を反転させた反転表示を表示手段に表示させることが好ましい。
【０００９】
ここで、反射装置を介して使用者が視認する情報は、鏡面反射により反転している。このため、使用者は、情報を正常な状態で視認できないという問題がある。
しかしながら、このような構成によれば、表示制御手段は、情報の通常表示（正常な状態の表示）を反転させた反転表示を表示手段に表示させるため、反射装置を介して正常な状態の情報を使用者に視認させることができる。したがって、使用者は、反射装置を介して情報を正常な状態で視認することができる。
【００１０】
この際、表示制御手段は、表示手段の表示面と反射装置の反射面との交線を対称軸として線対称に情報の通常表示を反転させて表示手段に反転表示させ、対称軸は、情報の通常表示の上下方向または左右方向に沿って情報の表示領域の外側に延在するとともに、情報の表示領域の下方側とは異なる位置に配置されることを特徴とすることが好ましい。
【００１１】
ここで、情報の表示領域とは、表示手段における情報を表示することができる領域である。そして、反射装置を介して使用者が視認する情報は、情報の通常表示の上下方向または左右方向に沿って情報の表示領域の外側に延在するとともに、情報の表示領域の上方側、右方側、および左方側のいずれかに表示手段の表示面と反射装置の反射面との交線が位置する場合には、この交線を対称軸として鏡面反射により線対称に反転している。このため、使用者は、情報を正常な状態で視認できないという問題がある。
しかしながら、このような構成によれば、表示制御手段は、対称軸に対して線対称に情報の通常表示を反転させて表示手段に反転表示させるので、使用者は、反射装置を介して情報を正常な状態で視認することができる。
【００１２】
この際、表示制御手段は、表示手段の表示面と反射装置の反射面との交線を対称軸として情報の通常表示を左右反転させて表示手段に反転表示させ、対称軸は、情報の通常表示の左右方向に沿って情報の表示領域の外側に延在するとともに、情報の表示領域の下方側の位置に配置されることが好ましい。
【００１３】
ここで、反射装置を介して使用者が視認する情報は、情報の通常表示の左右方向に沿って情報の表示領域の外側に延在するとともに、情報の表示領域の下方側に表示手段の表示面と反射装置の反射面との交線が位置する場合には、この交線を対称軸として鏡面反射により左右反転している。このため、使用者は、情報を正常な状態で視認できないという問題がある。
しかしながら、このような構成によれば、表示制御手段は、対称軸に対して情報の通常表示を左右反転させて表示手段に反転表示させるので、使用者は、反射装置を介して情報を正常な状態で視認することができる。
【００１４】
この際、表示制御手段は、反転表示と通常表示とを切替える切替部を備えることが好ましい。
【００１５】
このような構成によれば、表示制御手段は、反転表示と通常表示とを切替える切替部を備えることで、表示手段に表示される情報について反転表示と通常表示とを切替えることができる。すなわち、使用者は、表示手段に表示される情報を直接的に視認する場合は通常表示に切替え、反射装置を介して表示手段に表示される情報を間接的に視認する場合は反転表示に切替えることができる。したがって、使用者は表示手段を視認する状況に応じて反転表示と通常表示とを選択することができる。
【００１６】
この際、反射装置は、表示手段の表示面と反射装置の反射面との角度を調節する角度調節機構を備え、表示制御手段は、角度調節機構により調節された角度を検出する検出部と、検出部にて検出された角度に基づいて反転表示と通常表示とを切替えるか否かを判定する判定部と、を備え、切替部は、判定部による判定に基づき反転表示と通常表示とを切替えることが好ましい。
【００１７】
ここで、角度調節機構にて調節される反射装置の表示手段の表示面と反射装置の反射面との角度を、反射装置の角度という。
このような構成によれば、反射装置は、反射装置の角度を調節する角度調節機構を備えることで、反射装置の角度を自由に調節することができる。したがって、使用者は、角度調節機構により反射装置の角度を調節することで情報を視認しやすくすることができる。
【００１８】
また、表示制御手段は、角度調節機構により調節された角度を検出する検出部と、検出部にて検出された角度に基づいて反転表示と通常表示とを切替えるか否かを判定する判定部と、を備え、切替部は、判定部による判定に基づき反転表示と通常表示とを切替えるため、反射装置の角度に応じて表示手段に表示する情報を自動で切替えることができる。したがって、表示手段に表示される情報は、使用者が調節した反射装置の角度に基づき自動で切替わるため、表示制御手段は、測定器の利便性を向上させることができる。
【００１９】
この際、測定器は、反射装置を設置するための設置部を備え、反射装置は、設置部に対して着脱自在に取付ける取付部を備えることが好ましい。
【００２０】
このような構成によれば、測定器は、反射装置を設置するための設置部を備え、反射装置は、設置部に対して着脱自在に取付ける取付部を備えるため、反射装置を測定器に対して着脱することができる。したがって、使用者は、反射装置を測定器に対して取付けるか否かを選択することができる。
【００２１】
本発明の反射装置は、情報を表示する表示手段と、情報を表示手段に表示させる表示制御手段と、を備える測定器に用いられる反射装置であって、表示手段に表示される情報を鏡面反射することにより情報を反転させることを特徴とする。
【００２２】
このような本発明によれば、反射装置は、表示手段に表示される情報を鏡面反射により反転させることで、使用者が表示手段から直接的に情報を読み取れない場合であっても、反射装置を介して情報を視認することができる。したがって、反射装置は、表示手段に表示される情報の視認性を向上させることができる。
また、反射装置は、外部からの光を遮ることができれば、外部からの光が表示手段の表示面に映り込むことを抑制することができるため、表示面を介して表示手段に表示された情報が使用者に視認されにくくなることを防止することができる場合がある。したがって、反射装置は、表示手段に表示される情報の視認性を向上させることができる。
【図面の簡単な説明】
【００２３】
【図１】本発明の第１実施形態に係る測定器およびこれに用いられる反射装置を示す斜視図
【図２】本発明の第１実施形態に係る反射装置を示す斜視図
【図３】本発明の第１実施形態に係る反射装置を取外した測定器を示す斜視図
【図４】本発明の第１実施形態に係る表示手段を示す図
【図５】本発明の第１実施形態に係る測定器を示すブロック図
【図６】本発明の第２実施形態に係る測定器およびこれに用いられる反射装置を示す斜視図
【図７】本発明の第２実施形態に係る表示手段を示す図
【図８】本発明の第２実施形態に係る測定器を示すブロック図
【図９】本発明の第２実施形態に係る表示手段に表示される情報の切替え方法を示すフローチャート
【図１０】本発明の第１変形例に係る表示手段を示す図
【図１１】本発明の第２変形例に係る測定器およびこれに用いられる反射装置を示す斜視図
【図１２】本発明の第３変形例に係る測定器およびこれに用いられる反射装置を示す斜視図
【発明を実施するための形態】
【００２４】
〔第１実施形態〕
以下、本発明の第１実施形態を図面に基づいて説明する。
図１は、本発明の第１実施形態に係る測定器およびこれに用いられる反射装置を示す斜視図である。
測定器１は、図１（Ａ）に示すように、情報を表示する表示手段２と、表示手段２に表示される情報を鏡面反射により反転させて表示する反射装置３と、表示手段２の表示面と反射装置３の反射面との角度を調節する角度調節機構４と、を備えるマイクロメータである。
なお、以下の説明において、表示手段２の表示面と反射装置３の反射面との角度を、反射装置３の角度と記す場合がある。
【００２５】
測定器１は、図１（Ｂ）に示すように、略Ｕ字状の測定器本体１０ａと、円柱状のスピンドル１０ｂと、測定器本体１０ａに形成されるアンビル１０ｃと、回転させることでスピンドル１０ｂをアンビル１０ｃに対して進退させるシンブル１０ｄおよびラチェットつまみ１０ｅと、使用者からの操作を受け付け測定器１を操作するボタン式の複数の操作部１０ｆと、を備える。
測定器本体１０ａは、表示手段２および操作部１０ｆを覆うように測定器本体１０ａにネジ止めされたカバー部１０ａ１を有する。カバー部１０ａ１は、略中央に矩形状の窓部１０ａ２を有し、表示手段２が露出するように形成されている。なお、窓部１０ａ２は、矩形状ではなく任意の形状でもよい。すなわち、表示手段２に表示される情報が使用者から視認できれば、どのような形状でもよい。
【００２６】
操作部１０ｆは、測定器本体１０ａにおけるスピンドル１０ｂおよびシンブル１０ｄとは表示手段２を挟んで反対側の位置に配置され、表示手段２の表示を切替えるボタン式の切替操作部１０ｆ１を備える。切替操作部１０ｆ１の詳細については、後に説明する。
なお、切替操作部１０ｆ１を含む操作部１０ｆは、スライド式でもよく、使用者が操作することができれば、どのような構成であってもよい。また、操作部１０ｆは、使用者が操作することができれば、どのような位置に配置されていてもよい。
【００２７】
測定器１は、シンブル１０ｄまたはラチェットつまみ１０ｅを回転させることでスピンドル１０ｂをアンビル１０ｃに対して軸方向へ移動させる。測定器１は、シンブル１０ｄまたはラチェットつまみ１０ｅの回転による回転角の変位からスピンドル１０ｂおよびアンビル１０ｃの間に配置される測定対象物の長さの測定を行う。測定器１による測定対象物の測定の結果などは、表示手段２に情報として表示される。
【００２８】
表示手段２は、測定器本体１０ａのカバー部１０ａ１から露出するように設けられた液晶パネルで構成される表示面２１を有し、情報を表示手段２の表示領域に主に７セグメントのデジタル式表示で表示する。
なお、表示面２１は液晶パネルに限らず、有機ＥＬ（Electro−Luminescence）や電子ペーパーであってもよい。すなわち、表示面２１には、測定器１に関する情報が表示できればよい。
反射装置３は、表示手段２の表示面２１と略同形に矩形状の板材で形成され、表示手段２と対向する面に設けられた反射面３１を有している。反射面３１は、ミラーで構成され、表示手段２に表示される情報を全反射する。また、反射面３１は、表示手段２に表示される情報を鏡面反射により反転させる。なお、反射装置３は、矩形状の板材ではなく任意の形状および部材で形成されていてもよい。すなわち、反射装置３は、表示手段２に表示される情報を鏡面反射できればよい。
【００２９】
図２は、本発明の第１実施形態に係る反射装置を示す斜視図である。
反射装置３は、図２に示すように、測定器１に反射装置３を取付けるための一対の取付部３２を備える。
取付部３２は、反射装置３の長手方向の両側面の一端側（紙面下方側）に長手方向に沿って突出して設けられている。また、取付部３２は、円柱状に形成され、測定器１に取付けた際、反射装置３を回転させるための回転軸として機能する。
【００３０】
図３は、本発明の第１実施形態に係る反射装置を取外した測定器を示す斜視図である。
カバー部１０ａ１の窓部１０ａ２は、図３に示すように、測定器１に反射装置３を取付けるための一対の設置部２２を備える。
設置部２２は、窓部１０ａ２の長手方向の両内側面の一端側（紙面上方側）に長手方向に沿って、取付部３２（図２参照）よりもわずかに大きく、断面円形状に凹ませた穴として形成されている。そのため、測定器１に対して反射装置３を取付ける際は、設置部２２に取付部３２を押し込んで、反射装置３を取付ける。
ここで、図１に示すように、測定器１に反射装置３を取付け、設置部２２に取付部３２を係合させることで、設置部２２および取付部３２は、反射装置３を回転させる際の回転軸となる。したがって、設置部２２および取付部３２は、角度調節機構４として機能する。
【００３１】
角度調節機構４は、使用者が取付部３２を回転軸として反射装置３を回転させることで、反射装置３の角度を調節する。
なお、取付部３２は、円柱状ではなく半球状に突出して設けられていてもよく、また、設置部２２は、半球状に凹ませた穴として形成されていてもよい。すなわち、角度調節機構４は、反射装置３の角度を調節できればよい。
【００３２】
図４は、本発明の第１実施形態に係る表示手段を示す図である。
具体的には、図４（Ａ）は、表示手段２に表示される通常表示であり、図４（Ｂ）は、表示手段２に表示される反転表示である。
表示手段２に表示される通常表示は、図４（Ａ）に示すように、使用者が正常な状態で情報を視認することができる状態である。
【００３３】
表示手段２に表示される反転表示は、図４（Ｂ）に示すように、表示手段２の表示面２１と反射装置３の反射面３１との交線、すなわち、情報の通常表示の上下方向または左右方向に沿って情報の表示領域の外側に延在するとともに、情報の表示領域の下方側とは異なる位置である上方側に配置される対称軸ＡＸ１に対して線対称に情報を反転させた表示である。
なお、対称軸ＡＸ１は、反射装置３を回転させる角度調節機構４の回転軸と同じ軸であり、以下の説明において、角度調節機構４の回転軸を対称軸ＡＸ１と記す場合がある。
【００３４】
ここで、反射装置３を介して使用者が視認する情報は、対称軸ＡＸ１に対して鏡面反射により線対称に反転している。したがって、使用者は、反射装置３を介して反転表示を見ることにより、情報を正常な状態で視認することができる。
【００３５】
図５は、本発明の第１実施形態に係る測定器を示すブロック図である。
図５に示すように、測定器１は、表示手段２と、反射装置３と、角度調節機構４と、切替操作部１０ｆ１と、の他に、情報を表示手段２に表示させる表示制御手段５を備える。
表示制御手段５は、前述した通常表示（図４（Ａ）参照）または反転表示（図４（Ｂ）参照）を表示手段２に表示させる。
【００３６】
表示制御手段５は、切替操作部１０ｆ１（図１（Ａ）参照）が操作されると、表示手段２に表示される情報について通常表示と反転表示とを切替える切替部５１を備える。
切替部５１は、切替操作部１０ｆ１が使用者によって操作されると、表示手段２に通常表示がされているときは反転表示に切替え、表示手段２に反転表示がされているときは通常表示に切替える。
使用者は、角度調節機構４にて反射装置３を回転させて反射装置３の角度を調節し、切替操作部１０ｆ１を操作することで、表示手段２に表示される情報を正常に視認できるように操作する。
【００３７】
このような本実施形態によれば、以下の作用・効果を奏することができる。
（１）測定器１は、表示手段２に表示される情報を鏡面反射により反転させる反射装置３を備えることで、使用者は、表示手段２から直接的に情報を読み取れない場合であっても、反射装置３を介して情報を視認することができる。したがって、測定器１は、表示手段２に表示される情報の視認性を向上させることができる。
（２）測定器１は、反射装置３にて外部からの光を遮ることができれば、外部からの光が表示手段２の表示面２１に映り込むことを抑制することができるため、表示面２１を介して表示手段２に表示される情報が使用者に視認されにくくなることを防止することができる場合がある。したがって、測定器１は、表示手段２に表示される情報の視認性を向上させることができる。
【００３８】
（３）表示制御手段５は、情報の通常表示を反転させた反転表示を表示手段２に表示させるため、反射装置３を介して正常な状態の情報を使用者に視認させることができる。したがって、使用者は、反射装置３を介して情報を正常な状態で視認することができる。
（４）表示制御手段５は、対称軸ＡＸ１に対して線対称に情報の通常表示を反転させて表示手段２に反転表示させるので、使用者は、反射装置３を介して情報を正常な状態で視認することができる。
【００３９】
（５）表示制御手段５は、反転表示と通常表示とを切替える切替部５１を備えることで、表示手段２に表示される情報について反転表示と通常表示とを切替えることができる。すなわち、使用者は、表示手段２に表示される情報を直接的に視認する場合は通常表示に切替え、反射装置３を介して表示手段２に表示される情報を間接的に視認する場合は反転表示に切替えることができる。したがって、使用者は表示手段２を視認する状況に応じて反転表示と通常表示とを選択することができる。
【００４０】
（６）反射装置３は、反射装置３の角度を調節する角度調節機構４を備えることで、反射装置３の角度を自由に調節することができる。したがって、使用者は、角度調節機構４により反射装置３の角度を調節することで情報を視認しやすくすることができる。
【００４１】
（７）測定器１は、反射装置３を設置するための設置部２２を備え、反射装置３は、設置部２２に対して着脱自在に取付ける取付部３２を備えるため、反射装置３を測定器１に対して着脱することができる。したがって、使用者は、反射装置３を測定器１に対して取付けるか否かを選択することができる。
【００４２】
（８）反射装置３は、表示手段２に表示される情報を鏡面反射により反転させることで、使用者が表示手段２から直接的に情報を読み取れない場合であっても、反射装置３を介して情報を視認することができる。したがって、反射装置３は、表示手段２に表示される情報の視認性を向上させることができる。
（９）反射装置３は、外部からの光を遮ることができれば、外部からの光が表示手段２の表示面２１に映り込むことを抑制することができるため、表示面２１を介して表示手段２に表示された情報が使用者に視認されにくくなることを防止することができる場合がある。したがって、反射装置３は、表示手段２に表示される情報の視認性を向上させることができる。
【００４３】
〔第２実施形態〕
以下、本発明の第２実施形態を図面に基づいて説明する。なお、以下の説明では、既に説明した部分については、同一符号を付してその説明を省略する。
図６は、本発明の第２実施形態に係る測定器およびこれに用いられる反射装置を示す斜視図である。
本実施形態の測定器１Ａは、表示手段２Ａと、反射装置３Ａと、角度調節機構４Ａと、を除き、前記第１実施形態の測定器１と略同様の構成を備える。なお、本実施形態の測定器１Ａは、操作部１０ｆにおいて切替操作部１０ｆ１を備えていない点で前記第１実施形態と異なる。
また、本実施形態の反射装置３Ａは、ハーフミラーで構成され、表示手段２Ａに表示される情報をある条件において一部を反射し一部を透過する反射面３１Ａが設けられている点で前記第１実施形態と異なる。
【００４４】
反射面３１Ａを構成するハーフミラーは、ある条件では全反射をするミラーのようにふるまい、ある条件では一部を反射し一部を透過するガラスのようにふるまうミラーのことである。
ある条件とは、例えば、表示手段２Ａ側が明るく、反射装置３Ａを挟んだ表示手段２Ａとは反対側が暗い場合、表示手段２Ａ側の面はミラーのようにふるまい、反射装置３Ａを挟んだ表示手段２Ａとは反対側の面は、一部を反射し一部を透過するガラスのようにふるまう。一方、表示手段２Ａ側が暗く、反射装置３Ａを挟んだ表示手段２Ａとは反対側が明るい場合、表示手段２Ａ側の面は表示手段２Ａとは反対側が透けて見え、ミラーとしての効果が弱くなり、反射装置３Ａを挟んだ表示手段２Ａとは反対側の面はミラーのようにふるまう。
したがって、反射装置３Ａは、表示手段２Ａに反射面３１Ａを接触させて、表示手段２Ａの表示面２１Ａを明るくすると、反射装置３Ａを介して表示手段２Ａに表示された情報を視認することができるという特徴がある。
【００４５】
本実施形態の角度調節機構４Ａの回転軸は、情報の通常表示（図４（Ａ）参照）の左右方向に沿って情報の表示領域の外側に延在するとともに、情報の表示領域の下方側の位置に配置されている点で前記第１実施形態と異なる。換言すれば、窓部１０ａ２に設けられた設置部、および反射装置３Ａに設けられた取付部の位置は、前記第１実施形態と異なる。したがって、反射装置３Ａの対称軸ＡＸ２は、情報の通常表示の左右方向に沿って情報の表示領域の外側に延在するとともに、情報の表示領域の下方側の位置に配置されている点で前記第１実施形態と異なる。
なお、対称軸ＡＸ２は、反射装置３Ａを回転させる角度調節機構４Ａの回転軸と同じ軸であり、以下の説明において、角度調節機構４Ａの回転軸を対称軸ＡＸ２と記す場合がある。
【００４６】
図７は、本発明の第２実施形態に係る表示手段を示す図である。
具体的には、図７（Ａ）は、表示手段２Ａに表示される通常表示であり、図７（Ｂ）は、表示手段２Ａに表示される左右反転表示である。
前記第１実施形態では、表示手段２は、情報を通常表示および反転表示で表示していた。本実施形態の表示手段２Ａは、情報を通常表示および左右反転表示で表示する点で異なる。
表示手段２Ａに表示される通常表示は、図７（Ａ）に示すように、使用者が正常な状態で情報を視認することができる状態である。
【００４７】
表示手段２Ａに表示される左右反転表示は、図７（Ｂ）に示すように、表示手段２Ａの表示面２１Ａと反射装置３Ａの反射面３１Ａとの交線、すなわち、情報の通常表示の左右方向に沿って情報の表示領域の外側に延在するとともに、情報の表示領域の下方側に配置される対称軸ＡＸ２に対して情報を左右反転させた表示である。
ここで、反射装置３Ａを介して使用者が視認する情報は、対称軸ＡＸ２に対して鏡面反射により左右反転している。したがって、使用者は、反射装置３Ａを介して左右反転表示を見ることにより、情報を正常な状態で視認することができる。
【００４８】
図８は、本発明の第２実施形態に係る測定器を示すブロック図である。
前記第１実施形態では、表示制御手段５は、使用者の操作により表示手段２の表示を切替える切替部５１を備えていた。本実施形態の表示制御手段５Ａは、図８に示すように、角度調節機構４Ａにより調節された角度を検出する検出部５２と、検出部５２にて検出された角度に基づいて左右反転表示と通常表示とを切替えるか否かを判定する判定部５３と、をさらに備え、切替部５１Ａは、判定部５３による判定に基づき左右反転表示と通常表示とを切替える点で前記第１実施形態と異なる。
また、本実施形態の表示手段２Ａは、バックライト２３をさらに備える点で前記第１実施形態と異なる。
【００４９】
バックライト２３は、表示手段２Ａの表示面２１Ａの内部に設けられ、表示面２１Ａの内部から外部に向かって光を照射することで、表示手段２Ａに表示される情報を見やすくする。また、バックライト２３は、検出部５２が検出した角度調節機構４Ａにより調節された角度に応じて光量調節を行う。
検出部５２は、角度センサを有し、角度調節機構４Ａにより調節された反射装置３Ａの角度を検出する。なお、検出部５２が有するセンサは角度センサに限らず、表示手段２Ａと反射装置３Ａとの接触の有無を検出する接触センサや、外部からの光の強弱などを検出するセンサを有していてもよい。すなわち、センサは、判定部５３が左右反転表示と通常表示とを切替えるための条件が検出できればよい。
なお、以下の説明において、角度調節機構４Ａにより調節された角度を、反射装置３Ａの角度と記す場合がある。
【００５０】
図９は、本発明の第２実施形態に係る表示手段に表示される情報の切替え方法を示すフローチャートである。
以下、表示手段２Ａに表示される情報の切替え方法について、図９を参照して説明する。
使用者は、先ず、測定器１Ａの角度調節機構４Ａにより反射装置３Ａの角度を調節する。角度調節機構４Ａにより反射装置３Ａの角度が調節されると、次に、表示制御手段５Ａの検出部５２は、調節された反射装置３Ａの角度を検出する検出工程を実行する（ステップＳＴ０１）。
【００５１】
続いて、表示制御手段５Ａの判定部５３は、検出部５２にて検出された反射装置３Ａの角度に基づいて左右反転表示と通常表示とを切替えるか否かを判定し、切替部５１Ａは、判定部５３による判定に基づき左右反転表示と通常表示とを切替える（ステップＳＴ０２〜ＳＴ０６）。
具体的には、判定部５３は、検出部５２にて検出された反射装置３Ａの角度は０°であるか、すなわち、表示手段２Ａの表示面２１Ａと反射装置３Ａの反射面３１Ａとが接触しているか否かを判定する（ステップＳＴ０２）。
【００５２】
判定部５３にて反射装置３Ａの角度は０°であると判定された場合には（ステップＳＴ０２でＹＥＳ）、切替部５１Ａは、表示手段２Ａに表示される情報を通常表示に切替える（ステップＳＴ０３）。これに伴い、切替部５１Ａは、バックライト２３の光量を増加させる。ハーフミラーで構成される反射装置３Ａを透かして、使用者に反射装置３Ａを介して表示手段２Ａに表示される情報を視認させるためには、表示手段２Ａ側を相対的に明るくする必要があるからである。
これに対して、判定部５３にて反射装置３Ａの角度は０°でないと判定された場合には（ステップＳＴ０２でＮＯ）、判定部５３は、続いて、検出部５２にて検出された反射装置３Ａの角度は９０°以下であるか否かを判定する（ステップＳＴ０４）。
【００５３】
判定部５３にて反射装置３Ａの角度は９０°以下であると判定された場合には（ステップＳＴ０４でＹＥＳ）、切替部５１Ａは、表示手段２Ａに表示される情報を左右反転表示に切替える（ステップＳＴ０５）。これに伴い、切替部５１Ａは、バックライト２３の光量を増加させる。ハーフミラーである反射装置３Ａをミラーのように用い、使用者に反射装置３Ａを介して表示手段２Ａに表示される情報を視認させるためには、表示手段２Ａ側を相対的に明るくする必要があるからである。
【００５４】
これに対して、判定部５３にて反射装置３Ａの角度は９０°以下でないと判定された場合には（ステップＳＴ０４でＮＯ）、切替部５１Ａは、表示手段２Ａに表示される情報を通常表示に切替える（ステップＳＴ０６）。これに伴い、切替部５１Ａは、バックライト２３の光量を抑制する。反射装置３Ａの角度が９０°以上であるときは、外部からの光により表示手段２Ａに表示される情報を直接的に視認することができるため、バックライト２３の光量を抑制し測定器１Ａの電力消費を抑えるためである。
【００５５】
このような本実施形態においても、前記第１実施形態における（１）〜（３），（６）〜（９）と同様の作用、効果を奏することができる他、以下の作用、効果を奏することができる。
（１０）表示制御手段５Ａは、対称軸ＡＸ２に対して情報の通常表示を左右反転させて表示手段２Ａに反転表示させるので、使用者は、反射装置３Ａを介して情報を正常な状態で視認することができる。
【００５６】
（１１）表示制御手段５Ａは、角度調節機構４により調節された角度を検出する検出部５２と、検出部５２にて検出された角度に基づいて左右反転表示と通常表示とを切替えるか否かを判定する判定部５３と、を備え、切替部５１Ａは、判定部５３による判定に基づき左右反転表示と通常表示とを切替えるため、反射装置３Ａの角度に応じて表示手段２Ａに表示する情報を自動で切替えることができる。したがって、表示手段２Ａに表示される情報は、使用者が調節した反射装置３Ａの角度に基づき自動で切替わるため、表示制御手段５Ａは、測定器１Ａの利便性を向上させることができる。
【００５７】
〔実施形態の変形〕
なお、本発明は、前記各実施形態に限定されるものではなく、本発明の目的を達成できる範囲での変形、改良等は本発明に含まれるものである。
例えば、前記各実施形態では、マイクロメータを例として測定器１，１Ａを説明したが、測定器は、ノギスであってもよいし、ハイトゲージやダイヤルゲージであってもよい。すなわち、表示手段を備えていれば測定器の形式や測定方式などは特に限定されるものではなく、その他の測定器などにおいても利用可能であり、本発明を何に実装するかについては、特に限定されるものではない。
【００５８】
前記第１実施形態では、反射装置３の反射面３１はミラーで構成され、前記第２実施形態では、反射装置３Ａの反射面３１Ａはハーフミラーで構成されていたが、ミラーやハーフミラーの代わりにプリズムが用いられていてもよい。すなわち、反射装置の反射面は、表示手段に表示される情報を鏡面反射して使用者に視認させることができればよく、情報を鏡面反射することができれば、どのような構成であってもよい。
前記第２実施形態では、表示手段２Ａはバックライト２３を備えていたが、バックライト２３は備えていなくてもよい。
【００５９】
前記各実施形態では、反射装置３，３Ａは、取付部３２および設置部２２によって測定器１，１Ａに取付けられていたが、取付部３２および設置部２２を用いず、アームやスタンドを用いて、測定器から離れた位置に反射装置を取付けてもよい。また、反射装置３，３Ａは、窓部１０ａ２に一体形成されていてもよく、角度調節機構４，４Ａを備えていなくてもよい。すなわち、使用者は反射装置を介して表示手段に表示される情報を視認することができれば、反射装置はどのように配置されていてもよい。
前記第２実施形態では、判定部５３は、９０°を基準として（左右）反転表示と通常表示とを切替える判定をしていたが、９０°ではなく、使用者が表示手段２，２Ａを視認する状況に応じて他の角度を基準として判定してもよい。
【００６０】
図１０は、本発明の第１変形例に係る表示手段を示す図である。
前記各実施形態では、表示手段２，２Ａは、情報として測定器１，１Ａによる測定結果などを主に７セグメントのデジタル式表示で表示していたが、これ以外の態様の情報を表示してもよい。例えば、図１０に示すように、測定器１Ｂの表示手段２は、表示面２１において目盛と、デジタル表示される針と、から構成されるメーター表示で測定結果を表示してもよい。すなわち、表示手段に表示させる情報は、特に限定されるものではない。
【００６１】
また、前記第１実施形態では、表示制御手段５は、対称軸ＡＸ１に対して線対称に情報を反転させ、前記第２実施形態では、表示制御手段５Ａは、対称軸ＡＸ２に対して左右反転に情報を反転させて、それぞれの表示手段２，２Ａに表示させていた。これに対して、表示制御手段は、これ以外の態様で情報を反転表示させてもよく、反転表示しなくても使用者が情報を視認することができる場合には、情報を反転表示させなくてもよい。
【００６２】
図１１は、本発明の第２変形例に係る測定器およびこれに用いられる反射装置を示す斜視図であり、図１２は、本発明の第３変形例に係る測定器およびこれに用いられる反射装置を示す斜視図である。
前記第１実施形態では、反射装置３は、情報の通常表示の左右方向に沿って情報の表示領域の外側に延在するとともに、情報の表示領域の上方側に配置される対称軸ＡＸ１を有し、前記第２実施形態では、反射装置３Ａは、情報の通常表示の左右方向に沿って情報の表示領域の外側に延在するとともに、情報の表示領域の下方側に配置される対称軸ＡＸ２を有していた。
【００６３】
第２変形例である測定器１Ｃにおいて、図１１に示すように、反射装置３Ｃが備える角度調節機構４Ｃの回転軸である対称軸ＡＸ３は、表示手段２における情報の通常表示の上下方向に沿って情報の表示領域の外側に延在するとともに、情報の表示領域の左方側（紙面左方側）に配置されていてもよい。
また、第３変形例である測定器１Ｄにおいて、図１２に示すように、反射装置３Ｄが備える角度調節機構４Ｄの回転軸である対称軸ＡＸ４は、表示手段２における情報の通常表示の上下方向に沿って情報の表示領域の外側に延在するとともに、情報の表示領域の右方側（紙面右方側）に配置されていてもよい。
ここで、反射装置３Ｃ，３Ｄを介して使用者が視認する情報は、対称軸ＡＸ３，ＡＸ４に対して鏡面反射により線対称に反転している。したがって、使用者は、反射装置３Ｃ，３Ｄを介して反転表示を見ることにより、情報を正常な状態で視認することができる。
【産業上の利用可能性】
【００６４】
以上のように、本発明は、情報を表示する表示手段を備える測定器およびこれに用いられる反射装置に好適に利用できる。
【符号の説明】
【００６５】
１，１Ａ〜１Ｄ            測定器
２，２Ａ                  表示手段
３，３Ａ，３Ｃ，３Ｄ      反射装置
４，４Ａ，４Ｃ，４Ｄ      角度調節機構
５，５Ａ                  表示制御手段
２１                        表示面
２２                        設置部
３１，３１Ａ                反射面
３２                        取付部
５１，５１Ａ                切替部
５２                        検出部
５３                        判定部
ＡＸ１〜ＡＸ４              対称軸
【図１】
2018119889.tif 000003
【図２】
2018119889.tif 000004
【図３】
2018119889.tif 000005
【図４】
2018119889.tif 000006
【図５】
2018119889.tif 000007
【図６】
2018119889.tif 000008
【図７】
2018119889.tif 000009
【図８】
2018119889.tif 000010
【図９】
2018119889.tif 000011
【図１０】
2018119889.tif 000012
【図１１】
2018119889.tif 000013
【図１２】
2018119889.tif 000014